(57)【要約】【課題】カバー部材と筐体との導電性に関する信頼性が高く、部品点数及び組立て工数が少なくて済む放電灯点灯装置を提供すること。【解決手段】放電灯３の点灯制御を行う電子部品５、７、９、１１、１３と、前記電子部品５、７、９、１１、１３の少なくとも一部を保持するケース部材１５と、少なくとも一面が開口し、前記ケース部材を内部に収納する導電性の筐体１７と、前記筐体１７における前記一面を覆う導電性のカバー部材１９と、を備え、前記カバー部材１９は、前記ケース部材１５と一体に形成され、前記カバー部材１９の外周には、外側に向けて突出する突出部１９ｂが形成され、前記突出部１９ｂの先端は前記筐体１７の内面に圧接することを特徴とする放電灯点灯装置１。【選択図】 図１
2012033342.tif 000002
【特許請求の範囲】
【請求項１】
放電灯の点灯制御を行う電子部品と、
前記電子部品の少なくとも一部を保持するケース部材と、
少なくとも一面が開口し、前記ケース部材を内部に収納する導電性の筐体と、
前記筐体における前記一面を覆う導電性のカバー部材と、
を備え、
前記カバー部材は、前記ケース部材と一体に形成され、
前記カバー部材の外周には、外側に向けて突出する突出部が形成され、前記突出部の先端は前記筐体の内面に圧接することを特徴とする放電灯点灯装置。
【請求項２】
前記カバー部材は、インサート成形により、前記ケース部材と一体に形成されていることを特徴とする請求項１記載の放電灯点灯装置。
【請求項３】
前記突出部は、前記先端が先細りとなっている棒状部材であることを特徴とする請求項１又は２に記載の放電灯点灯装置。
【請求項４】
前記カバー部材は矩形形状を有しており、前記突出部は、前記矩形の４辺にそれぞれ形成されていることを特徴とする請求項１〜３のいずれか１項に記載の放電灯点灯装置。
【発明の詳細な説明】
【技術分野】
【０００１】
本発明は、例えば車両の前照灯等に利用される放電灯を点灯する放電灯点灯装置に関する。
【背景技術】
【０００２】
放電灯点灯装置を構成する電子部品は、外部環境から保護するため、筐体内に組み付けられる。この筐体は、ＥＭＣ対策としてノイズシールドを行う必要があるため、アルミ等の金属材料で構成される。ただし、筐体の少なくとも一面は、電子部品を組み付ける工程の都合上、開口している。そこで、電子部品の組み付け後、筐体の開口部を金属製のカバーで覆い、そのカバーと筐体とを電気的に接続し、ノイズシールドを行う（特許文献１参照）。
【先行技術文献】
【特許文献】
【０００３】
【特許文献１】特許第３５９８８５７号公報
【発明の概要】
【発明が解決しようとする課題】
【０００４】
従来の放電灯点灯装置Ｐ１の具体的な構造は図５及び図６に示すものである。図５は従来の放電灯点灯装置Ｐ１の平面図である。図６は、図５におけるＡ−Ａ断面での側断面図である。
【０００５】
放電灯点灯装置Ｐ１は、その上側に取り付けられた放電灯Ｐ３の点灯制御を行う電子部品Ｐ５、Ｐ７、Ｐ９、Ｐ１１、Ｐ１３と、電子部品Ｐ７、Ｐ９、Ｐ１１、Ｐ１３を保持する樹脂製のケース部材Ｐ１５と、上面が開口し、ケース部材Ｐ１５を内部に収納する金属製の筐体Ｐ１７と、筐体Ｐ１７における開口部を上側から覆う金属性のカバー部材Ｐ１９とを備える。ケース部材Ｐ１５の内部には、ターミナルＰ２１が配置されており、そのターミナルＰ２１により、電子部品Ｐ５、Ｐ７、Ｐ９、Ｐ１１、Ｐ１３は相互に接続されている。
【０００６】
カバー部材Ｐ１９は、その一端において、スクリュＰ２３によって筐体Ｐ１７に固定される。また、カバー部材Ｐ１９は、反対側の端部に、略くの字型の断面形状を有し、弾性変形可能なカバーＧＮＤ接点Ｐ２５を備えており、このカバーＧＮＤ接点Ｐ２５がケース部材Ｐ１５と筐体Ｐ１７との隙間Ｐ２７に挿入される。隙間Ｐ２７の幅はカバーＧＮＤ接点Ｐ２５の本来の（弾性変形していない状態における）幅より狭いため、カバーＧＮＤ接点Ｐ２５は、隙間Ｐ２７において、横方向に圧縮変形し、その反発力により、筐体Ｐ１７の内面に押し付けられる。その結果、カバー部材Ｐ１９は、その両端（スクリュＰ２３によって固定される側とカバーＧＮＤ接点Ｐ２５の側）において筐体Ｐ１７と電気的に接続し、ノイズシールドの機能を奏する。
【０００７】
しかしながら、従来の放電灯点灯装置Ｐ１において、カバーＧＮＤ接点Ｐ２５は、高温環境下で経年変化したり、腐食したりして、筐体Ｐ１７との導電性が低下することがある。また、カバー部材Ｐ１９とケース部材Ｐ１５とが別体であること、及びカバー部材Ｐ１９の固定にスクリュＰ２３が必要であることにより、部品点数及び組立て工数が多くなってしまう。
【０００８】
本発明は以上の点に鑑みなされたものであり、カバー部材と筐体との導電性に関する信頼性が高く、部品点数及び組立て工数が少なくて済む放電灯点灯装置を提供することを目的とする。
【課題を解決するための手段】
【０００９】
本発明の放電灯点灯装置は、放電灯の点灯制御を行う電子部品と、前記電子部品の少なくとも一部を保持するケース部材と、少なくとも一面が開口し、前記ケース部材を内部に収納する導電性の筐体と、前記筐体における前記一面を覆う導電性のカバー部材と、を備えている。前記カバー部材は、前記ケース部材と一体に形成され、前記カバー部材の外周には、外側に向けて突出する突出部が形成され、前記突出部の先端は前記筐体の内面に圧接する。
【００１０】
本発明の放電灯点灯装置において、カバー部材は、筐体の開口部を覆い、突出部を介して筐体と電気的に接続（接地）している。よって、カバー部材により、筐体の開口部におけるノイズシールドを行うことができる。
【００１１】
また、カバー部材は、突出部を筐体に圧接させることで、若しくは圧接させた突出部と筐体を、例えば溶接などで接合させることで、カバー部材と筐体との間の導電性を確保する。そのため、高温環境下での経年変化や腐食等により、導電性が低下してしまうようなことがない。その結果、導電性に関する信頼性が高くなる。
【００１２】
また、本発明の放電灯点灯装置において、カバー部材はケース部材と一体に形成されている。また、カバー部材と筐体との間の導電性を確保する突出部は、カバー部材の一部である。そのため、例えば、カバー部材をケース部材に組み付ける工程、及び導電性を確保するための部材（例えば図５及び図６におけるスクリュＰ２３等）を別途組み付ける工程が必要なく、部品点数が少なくて済む。
【００１３】
また、本発明の放電灯点灯装置において、突出部は筐体に圧接することで導電性を確保するので、突出部の寸法精度が必ずしも高くなくてもよい。
本発明の放電灯点灯装置において、前記カバー部材は、例えば、インサート成形により、前記ケース部材と一体に形成することができる。前記突出部としては、例えば、先端が先細りとなっている棒状部材が挙げられる。突出部の先端が先細りとなっていることにより、突出部を筐体に圧入し、それらの接続を確実にすることができる。また、前記カバー部材の形状としては、例えば、矩形形状（矩形の板状形状）が挙げられる。この場合、例えば、矩形の４辺にそれぞれ突出部を形成することができる。
【図面の簡単な説明】
【００１４】
【図１】実施形態における放電灯点灯装置１の平面図である。
【図２】図１におけるＡ−Ａ断面での側断面図である。
【図３】放電灯点灯装置１のうち、突出部１９ｂ付近を表す平面図である。
【図４】放電灯点灯装置１の電気的な概略構成を表す説明図である。
【図５】従来の放電灯点灯装置Ｐ１の平面図である。
【図６】図５におけるＡ−Ａ断面での側断面図である。
【発明を実施するための形態】
【００１５】
本発明の実施形態を図面に基づき説明する。
１．放電灯点灯装置１の構成
放電灯点灯装置１の構成を、図１〜図３に基づいて説明する。図１は放電灯点灯装置１の平面図である。図２は、図１におけるＡ−Ａ断面での側断面図である。図３は、放電灯点灯装置１のうち、後述する突出部１９ｂ付近（図１におけるＢの領域）を表す平面図である。
【００１６】
放電灯点灯装置１は、放電灯３の点灯制御を行う電子部品５、７、９、１１、１３と、電子部品７、９、１１、１３を保持するケース部材１５と、上面が開口し、ケース部材１５を内部に収納する金属（アルミ）製の筐体１７と、筐体１７における開口部を覆う金属性のカバー部材１９とを備える。
【００１７】
上記放電灯３は、放電灯点灯装置１の上側に、それと一体に取り付けられている。
上記電子部品５はモジュールＩＣであり、筐体１７の底板と、ケース部材１５との間に配置されている。
【００１８】
上記ケース部材１５は、樹脂から成る箱状の部材であり、電子部品７、９、１１、１３を収納する部分だけくり抜かれていて、その他の部分は樹脂で充填されている。また、ケース部材１５の内部には、真鍮製のターミナル２１が埋め込まれている。そのターミナル２１により、電子部品５、７、９、１１、１３は相互に接続されている。
【００１９】
上記カバー部材１９は、金属（アルミ）から成る。カバー部材１９の形状は、矩形の板である本体部１９ａと、本体部１９ａの外周端面に設けられた棒状の突出部１９ｂとから構成される。突出部１９ｂは、本体部１９ａの４辺にそれぞれ２個ずつ設けられており、外側に向けて突出している。突出部１９ｂの先端は、図３に示すように、先細りの形状となっている。さらに詳しくは、突出部１９ｂの先端における径の変化率は、先端に近づくほど小さくなっている。そのため、図３に示すように、突出部１９ｂの先端付近を側面から見ると、外側に凸の曲面となっている。
【００２０】
カバー部材１９は、インサート成形により、ケース部材１５と一体に形成されている。すなわち、カバー部材１９のうち、本体部１９ａの全体と、突出部１９ｂの根元の部分は、ケース部材１５内に埋め込まれており、突出部１９ｂの先端部が、ケース部材１５の側面から外側に突出している。カバー部材１９の上下方向における位置は、図２に示すように、電子部品７、９、１１、１３よりも上側である。また、ターミナル２１も、インサート成形により、ケース部材１５と一体に形成されている。
【００２１】
ケース部材１５を筐体１７内に収容したとき、図１及び図２に示すように、カバー部材１９の本体部１９ａは、電子部品５、７、９、１１、１３よりも上側において、筐体１７の開口部を覆う。また、カバー部材１９の突出部１９ｂは、筐体１７の側面１７ａにおける内面に圧接する。また、ターミナル２１も、ケース部材１５の側面から外側に突出しており、ターミナル２１の先端は、筐体１７の側面１７ａにおける内面に圧接する。
【００２２】
２．放電灯点灯装置１の電気的な概略構成
放電灯点灯装置１の電気的な概略構成を図４に示す。放電灯点灯装置１において、電子部品５、７、９、１１、１３は、図４に示すＤＣ／ＤＣコンバータ１０１、Ｈブリッジ１０３、スタータ回路１０５、制御回路１０７、及びフィルタ回路１０９、及び保護回路１１１を構成する。
【００２３】
上記ＤＣ／ＤＣコンバータ１０１は電源電圧を昇圧する。上記Ｈブリッジ１０３はその昇圧電圧を交流矩形波に変換し、放電灯３を点灯させる。また、上記スタータ回路１０５は、点灯始動時に必要な高電圧を発生させ、放電灯３のアークを形成し、その後安定点灯に移行させる。上記制御回路１０７は放電灯３の安定点灯の為の最適電力制御を行う。上記フィルタ回路１０９及び保護回路１１１は、電源電圧からのノイズ#除去と電源逆接やサージに対する保護を行う。
【００２４】
３．放電灯点灯装置１が奏する作用効果
（１）カバー部材１９は、筐体１７の開口部を覆い、突出部１９ｂを介して筐体１７と電気的に接続（接地）している。また、筐体１７は、ターミナル２１を介して、電子部品５、７、９、１１、１３のＧＮＤと接地している。よって、カバー部材１９により、筐体１７の開口部におけるノイズシールドを行うことができる。
（２）カバー部材１９は、突出部１９ｂを筐体１７に圧接させることで、カバー部材１９と筐体１７との間の導電性を確保する。そのため、高温環境下での経年変化や腐食等により、導電性が低下してしまうようなことがない。その結果、導電性に関する信頼性が高くなる。
（３）カバー部材１９はケース部材１５と一体に形成されている。また、カバー部材１９と筐体１７との間の導電性を確保する突出部１９ｂは、カバー部材１９の一部である。そのため、カバー部材１９をケース部材１５に組み付ける工程、及び導電性を確保するための部材を別途組み付ける工程が必要なく、部品点数が少なくて済む。
（４）突出部１９ｂは筐体１７に圧接することで導電性を確保するので、突出部１９ｂの寸法精度が必ずしも高くなくてもよい。
【００２５】
尚、本発明は前記実施の形態になんら限定されるものではなく、本発明を逸脱しない範囲において種々の態様で実施しうることはいうまでもない。
例えば、突出部１９ｂの先端を筐体１７の内側に圧接した状態で、突出部１９ｂと筐体１７とを溶接してもよい。この場合、突出部１９ｂを筐体１７に押し付ける力が小さくてもよい。
【００２６】
また、カバー部材１９とケース部材１５とを一体化する方法は、インサート成形に限定されない。例えば、ケース部材１５の上面にカバー部材１９を接着してもよい。
また、突出部１９ｂは、棒状部材には限定されない。例えば、本体部１９ａの外周端面から外側に突出する板状部材とすることができる。
【００２７】
また、前記実施の形態では、カバー部材１９の各辺における突出部１９ｂの数は２個であるが、これに限定されない。各辺における突出部１９ｂの数は、例えば、１、３、４、５、６、７・・・・のいずれかとすることができる。また、各辺における突出部１９ｂの数は、必ずしも等しくなくてもよい。例えば、長辺における突出部１９ｂの数を多くし、短辺における突出部１９ｂの数を少なくすることができる。
【００２８】
また、筐体１７及びカバー部材１９の材質は、アルミ以外でも、導電性を持つ材料から適宜選択できる。例えば、アルミ以外の金属、導電性樹脂等が挙げられる。
【符号の説明】
【００２９】
１・・・放電灯点灯装置、３・・・放電灯、５、７、９、１１、１３・・・電子部品、
１５・・・ケース部材、１７・・・筐体、１９・・・カバー部材、１９ａ・・・本体部、
１９ｂ・・・突出部、２１・・・ターミナル、１０１・・・ＤＣ／ＤＣコンバータ、
１０３・・・Ｈブリッジ、１０５・・・スタータ回路、１０７・・・制御回路、
１０９・・・フィルタ回路、１１１・・・保護回路
【図４】
2012033342.tif 000003
【図１】
2012033342.tif 000004
【図２】
2012033342.tif 000005
【図３】
2012033342.tif 000006
【図５】
2012033342.tif 000007
【図６】
2012033342.tif 000008